(57)【要約】      （修正有）【課題】  モータ組み立て作業時にステータユニットを容易にモータに組み付けることが可能なブラシレスモータを提供する。【解決手段】  本発明はロータマグネット２４を有して構成されたロータ２０と、ロータマグネット２４と回転軸方向に対向するように複数のステータコイル７０が配置されたステータコア８０と、複数のステータコイル７０の端末部を結線する結線端子ユニット６０と、を備えたブラシレスモータ１０に関する。このブラシレスモータ１０では、結線端子ユニット６０と複数のステータコイル７０とステータコア８０とが樹脂部材で一体的にモールド成形されているため、ブラシレスモータ１０の組み立て作業時に、結線端子ユニット６０と複数のステータコイル７０とステータコア８０とが散けてしまうことを防止できる。【選択図】  図３
2006166598.tif 000002
【特許請求の範囲】
【請求項１】
ロータマグネットを有して構成されたロータと、
前記ロータマグネットと回転軸方向に対向するように複数のステータコイルが配置されたステータコアと、
前記複数のステータコイルの端末部を結線する結線端子部を有して構成された結線端子ユニットと、を備えたブラシレスモータにおいて、
前記複数のステータコイルと前記ステータコアとが樹脂部材で一体的にモールド成形されていることを特徴とするブラシレスモータ。
【請求項２】
ロータマグネットを有して構成されたロータと、
前記ロータマグネットと回転軸方向に対向するように複数のステータコイルが配置されたステータコアと、
前記複数のステータコイルの端末部を結線する結線端子部を有して構成された結線端子ユニットと、を備えたブラシレスモータにおいて、
前記結線端子ユニットと前記複数のステータコイルと前記ステータコアが樹脂部材で一体的にモールド成形されていることを特徴とするブラシレスモータ。
【請求項３】
ロータマグネットを有して構成されたロータと、
前記ロータマグネットと回転軸方向に対向するように複数のステータコイルが配置されたステータコアと、
前記複数のステータコイルの端末部を結線する結線端子部を有して構成された結線端子ユニットと、を備えたブラシレスモータにおいて、
前記結線端子ユニットと前記複数のステータコイルと前記ステータコアが樹脂部材で一体的にモールド成形されることによりステータユニットが形成されると共に、前記モールド成形により前記ステータユニットに外部取付ステーが樹脂部材で一体的に形成されていることを特徴とするブラシレスモータ。
【請求項４】
前記外部取付ステーは、前記ステータユニットにおける前記複数のステータコイルの境目近傍位置に形成されていることを特徴とする請求項３に記載のブラシレスモータ。
【請求項５】
前記結線端子ユニットは、前記結線端子部がモールド成形されることにより前記結線端子部と樹脂部材とが一体化されて形成されたものであることを特徴とする請求項１乃至請求項４のいずれか一項に記載のブラシレスモータ。
【請求項６】
ブラシレスモータと、
前記ブラシレスモータによって回転させられるファンと、を備えてなるブラシレスファンモータ装置において、
前記ブラシレスモータに、請求項１乃至請求項５のいずれか一項に記載のブラシレスモータを用いたことを特徴とするブラシレスファンモータ装置。
【請求項７】
ロータマグネットを有して構成されたロータと、前記ロータマグネットと回転軸方向に対向するように複数のステータコイルが配置されたステータコアと、前記複数のステータコイルの端末部を結線する結線端子部を有して構成された結線端子ユニットと、を備えたブラシレスモータの製造方法において、
前記結線端子部を樹脂部材でモールド成形することにより前記結線端子ユニットを形成する第一の工程と、
前記結線端子ユニットとステータコアとの連結と、前記ステータコイルの前記ステータコアへの載置と、前記ステータコイルの端末部と前記結線端子ユニットの結線端子部との結線と、を行う第二の工程と、
前記結線端子ユニットと前記複数のステータコイルと前記ステータコアを樹脂部材で一体的にモールド成形することによりステータユニットを形成する第三の工程と、を含むことを特徴とするブラシレスモータの製造方法。
【請求項８】
前記第三の工程において、前記モールド成形により前記ステータユニットに外部取付ステーを樹脂部材で一体的に形成することを特徴とする請求項７に記載のブラシレスモータの製造方法。
【請求項９】
前記第三の工程において、前記外部取付ステーを、前記ステータユニットにおける前記複数のステータコイルの境目近傍位置に形成することを特徴とする請求項８に記載のブラシレスモータの製造方法。
【発明の詳細な説明】
【技術分野】
【０００１】
本発明は、ブラシレスモータおよびブラシレスファンモータ装置並びにブラシレスモータの製造方法に係り、特に、ロータマグネットとステータコイルとが回転軸方向に対向するように配置されたアキシャルギャップタイプのブラシレスモータおよびブラシレスファンモータ装置並びにブラシレスモータの製造方法に関する。
【背景技術】
【０００２】
従来から、ブラシレスモータの技術分野においては、複数相のステータコイルと外部リード線（又は駆動回路）とを接続する技術として、結線端子フレーム（バスバー）をモールド成形した結線端子ユニットを用いることが知られている（例えば、特許文献１参照）。例えば、特許文献１に記載の例では、円弧状に形成された複数の結線端子フレームを同心円状に配置しておき、この複数の結線端子フレームをモールド成形することによって樹脂部材と一体化した結線端子ユニット（射出成形端子台）を形成している。
【０００３】
そして、この種のブラシレスモータでは、上記結線端子ユニットに形成された各相の結線端子と中性点の結線端子にステータコイルの所定の端末部がそれぞれ溶接等によって結線される。また、このようにして複数相のステータコイルと結線端子ユニットとを結線すると共に、結線端子ユニットにステータコアを連結することによりステータユニットが一体的に組み付けられる。
【特許文献１】特許２０００−３３３４００
【発明の開示】
【発明が解決しようとする課題】
【０００４】
しかしながら、一般に、ブラシレスモータでは、結線端子ユニット、複数相のステータコイルおよびステータコアが複雑に組み付けられてステータユニットが形成される。このとき、結線端子ユニット、複数相のステータコイルおよびステータコアをしっかりと固定するようにしてステータユニットを組み付けておかないと、ブラシレスモータの最終的な組み立て作業時に、このステータユニットが散けてしまうことがあった。
【０００５】
本発明は、上記問題に鑑みてなされたものであって、その目的は、モータ組み立て作業時にステータユニットを容易にモータに組み付けることが可能なブラシレスモータおよびブラシレスファンモータ装置並びにブラシレスモータの製造方法を提供することにある。
【課題を解決するための手段】
【０００６】
前記課題を解決するために、請求項１に記載の発明は、ロータマグネットを有して構成されたロータと、前記ロータマグネットと回転軸方向に対向するように複数のステータコイルが配置されたステータコアと、前記複数のステータコイルの端末部を結線する結線端子部を有して構成された結線端子ユニットと、を備えたブラシレスモータにおいて、前記複数のステータコイルと前記ステータコアとが樹脂部材で一体的にモールド成形されていることを特徴とするものである。
【０００７】
このように、請求項１に記載の発明によれば、複数のステータコイルとステータコアとが樹脂部材で一体的にモールド成形されているので、ブラシレスモータの組み立て作業時に、複数のステータコイルとステータコアとが散けてしまうことを防止できる。これにより、複数のステータコイルとステータコアからなるユニットをモータ本体に容易に組み付けることが可能となる。
【０００８】
このとき、請求項２に記載のように、結線端子ユニットと複数のステータコイルとステータコアが樹脂部材で一体的にモールド成形されていても良い。このようにすると、上記と同様に、ブラシレスモータの組み立て作業時に、結線端子ユニットと複数のステータコイルとステータコアからなるユニットをモータ本体に容易に組み付けることが可能となる。
【０００９】
なお、請求項３に記載のように、結線端子ユニットと複数のステータコイルとステータコアが樹脂部材で一体的にモールド成形されることにより単一ユニット化されたステータユニットが形成されると共に、このモールド成形によりステータユニットに外部取付ステーが樹脂部材で一体的に形成されるようにしても良い。このようにすれば、結線端子ユニットと複数のステータコイルとステータコアを樹脂部材で一体的にモールド成形してステータユニットを形成するときに、ステータユニットに外部取付ステーが同時に形成されるので、外部取付ステーを別途成形することを不要にすることができる。これにより、従来に比して製造工数を削減できると共に、部品点数が増加することを防止することができるので製造コストを低減することができる。
【００１０】
このとき、請求項４に記載のように、外部取付ステーがステータユニットにおける複数のステータコイルの境目近傍位置に形成されていると好適である。ここで、外部取付ステーがステータユニットにおける複数のステータコイルのそれぞれの径方向外側位置に形成され、モールド成形時のゲートがステータユニットの回転中心軸上にある場合には、各ステータコイルとステータコイルとの間から樹脂が流れ、ステータコイルの左右両側から流れた樹脂が外部取付ステーの形成位置で合流することになる。
【００１１】
このように樹脂の合流する部分は一般にウェルドと呼ばれ、このウェルドでは、半凝固状態で互いに反対方向から来る樹脂とぶつかり合うため、樹脂が完全に混ざり合わず、境界を残したまま硬化してしまう。この境界部分は一般にウェルドラインと呼ばれ、このウェルドラインが外部取付ステーに形成されてしまうと外部取付ステーの概観を損ねる結果となる。また、このウェルドラインが形成された部分は強度が低いので、このウェルドラインが外部取付ステーに形成されてしまうと、外部取付ステーの強度が低下する虞がある。
【００１２】
そこで、請求項４に記載のように、外部取付ステーがステータユニットにおける複数のステータコイルの境目近傍位置に形成されるようにすると、外部取付ステーの形成位置で樹脂が合流すること無く外部取付ステーを成形することができる。従って、外部取付ステーの概観を良好にすることができると共に、外部取付ステーの強度も確保できる。
【００１３】
また、請求項５に記載のように、結線端子ユニットは、結線端子部がモールド成形されることにより結線端子部と樹脂部材とが一体化されて形成されたものであっても良い。このようにすると、結線端子部の形状および位置を樹脂部材で固定することができるので、ブラシレスモータの組み立て作業時に、結線端子ユニットの取り扱いを容易にすることができ好適である。
【００１４】
そして、請求項６に記載の発明のように、請求項１乃至請求項５のいずれか一項に記載のブラシレスモータが、ファンを備えてなるブラシレスファンモータ装置に用いられると好適である。
【００１５】
また、前記課題を解決するために、請求項７に記載の発明は、ロータマグネットを有して構成されたロータと、前記ロータマグネットと回転軸方向に対向するように複数のステータコイルが配置されたステータコアと、前記複数のステータコイルの端末部を結線する結線端子部を有して構成された結線端子ユニットと、を備えたブラシレスモータの製造方法において、前記結線端子部を樹脂部材でモールド成形することにより前記結線端子ユニットを形成する第一の工程と、前記結線端子ユニットとステータコアとの連結と、前記ステータコイルの前記ステータコアへの載置と、前記ステータコイルの端末部と前記結線端子ユニットの結線端子部との結線と、を行う第二の工程と、前記結線端子ユニットと前記複数のステータコイルと前記ステータコアを樹脂部材で一体的にモールド成形することによりステータユニットを形成する第三の工程と、を含むことを特徴とするものである。
【００１６】
このように、請求項７に記載の発明によれば、結線端子ユニットと複数のステータコイルとステータコアを樹脂部材で一体的にモールド成形するので、ブラシレスモータの組み立て作業時に、結線端子ユニットと複数のステータコイルとステータコアとが散けてしまうことを防止できる。これにより、結線端子ユニットと複数のステータコイルとステータコアからなるステータユニットをモータ本体に容易に組み付けることが可能となる。
【００１７】
また、結線端子部をモールド成形することにより結線端子ユニットを形成しているので、結線端子部の形状および位置を樹脂部材で固定することができる。これにより、ブラシレスモータの組み立て作業時に、結線端子ユニットの取り扱いを容易にすることが可能となる。
【００１８】
このとき、請求項８に記載のように、上記第三の工程において、結線端子ユニットと複数のステータコイルとステータコアを樹脂部材で一体的にモールド成形することによりステータユニットを形成すると共に、このモールド成形によりステータユニットに外部取付ステーを樹脂部材で一体的に形成するようにしても良い。このように、本発明によれば、結線端子ユニットと複数のステータコイルとステータコアを樹脂部材で一体的にモールド成形してステータユニットを形成するときに、ステータユニットに外部取付ステーを同時に形成するので、外部取付ステーを別途成形することを不要にすることができる。これにより、従来に比して製造工数を削減できると共に、部品点数が増加することを防止することができるので製造コストを低減することができる。
【００１９】
また、請求項９に記載のように、上記第三の工程において、外部取付ステーをステータユニットにおける複数のステータコイルの境目近傍位置に形成するようにすると、外部取付ステーの形成位置で樹脂が合流すること無く外部取付ステーを成形することができる。従って、外部取付ステーの概観を良好にすることができると共に、外部取付ステーの強度も確保できる。
【発明を実施するための最良の形態】
【００２０】
以下、本発明の一実施形態について、図を参照して説明する。なお、以下に説明する部材、配置等は、本発明を限定するものではなく、本発明の趣旨に沿って各種改変することができることは勿論である。
【００２１】
はじめに、本発明の一実施形態に係るブラシレスモータの構成について説明する。
【００２２】
本発明の一実施形態に係るブラシレスモータ１０は、例えば、乗用自動車等のラジエータを冷却するためのブラシレスファンモータ装置に好適に適用されるものであり、図３に示すように、ロータ２０と、ステータユニット３０と、回路ユニット４０と、バックフレーム５０を有して構成されている。
【００２３】
ロータ２０は、円盤状に構成されたロータヨーク２２を備えており、ロータヨーク２２のステータユニット３０側の平面部２２ａには、環状のロータマグネット２４が固定されている。このロータマグネット２４には、周方向に沿ってＮ極とＳ極とが交互に形成（例えば、８極形成）されている。
【００２４】
ロータヨーク２２の中央部には、環状のシャフト支持部２２ｂが形成されており、このシャフト支持部２２ｂには、回転シャフト２６が嵌合されている。回転シャフト２６は、後述するステータユニット３０に設けられた軸受部材３２によって回転自在に支持されており、この回転シャフト２６の先端部には、ネジなどの固着具によって不図示のファンが固定されるようになっている。
【００２５】
ステータユニット３０は、図３、図４に示すように、結線端子ユニット６０と、ステータコイル７０と、ステータコアとしてのバックヨーク８０を有して構成されている。本例のステータユニット３０は、後に詳述するように、モールド成形された結線端子ユニット６０と、ステータコイル７０およびバックヨーク８０とがさらにモールド成形されることによって一体化されたものであり、所定の形状に構成されている。
【００２６】
つまり、このモールド成形されたステータユニット３０の構成について説明すると、ステータユニット３０のモータ回転軸上には、回転シャフト２６を挿通するための孔部３０ａが形成されており、この孔部３０ａの周囲には、モータ回転軸方向に離間する二箇所の位置に軸受部材３２を支持するための軸受支持部３０ｂが形成されている。また、ステータユニット３０の径方向外側の部分でステータコイル７０の境界近傍位置には、径方向に延びる外部取付ステー３０ｃが形成されている。
【００２７】
さらに、ステータユニット３０のロータ２０側には、このロータ２０と面対向するように結線端子ユニット６０が配置されており、結線端子ユニット６０の径方向外側部分には、ロータマグネット２４と軸方向に対向するようにステータコイル７０が設けられている。本例のステータコイル７０は、結線端子ユニット６０によりＹ字状に結線されており、結線端子ユニット６０には、バックヨーク８０が一体に連結されている。
【００２８】
本例の結線端子ユニット６０は、図５に示すように、結線端子フレーム６２（バスバー）をモールド成形することによって、結線端子フレーム６２と樹脂部材とが一体化された概略円盤状の部材である。図５はステータユニット３０にモールド成形される前の段階の結線端子ユニット６０の構成を示す図である。図５に示すように、結線端子ユニット６０の中央部には、モータ回転軸方向に貫通する孔部６０ａが形成されており、孔部６０ａの周囲に形成された内側環状成形部６０ｂには、結線端子フレーム６２がモールド成形されている。
【００２９】
この結線端子ユニット６０に用いる結線端子フレーム６２は、図６に示すように、Ｕ相フレーム６２Ｕ、Ｖ相フレーム６２Ｖ、Ｗ相フレーム６２Ｗと、コモンフレーム６２Ｃと、を有して構成されている。Ｕ相フレーム６２Ｕ、Ｖ相フレーム６２Ｖ、Ｗ相フレーム６２Ｗ、コモンフレーム６２Ｃのそれぞれは、細長の導電性平板部材をモータ回転軸を中心として円弧状に曲げることにより形成されたものである。
【００３０】
そして、Ｕ相フレーム６２Ｕ、Ｖ相フレーム６２Ｖ、Ｗ相フレーム６２Ｗのそれぞれには、Ｕ相、Ｖ相、Ｗ相の各相のステータコイル７０の端末部７２（図１，図９参照）と接続するための結線端子６４が形成されている。この結線端子６４は、図７に示すように、各相のフレーム６２Ｕ，６２Ｖ，６２Ｗに形成された円弧状のフレーム本体部６５に対して径方向外側へ向けて折り曲げられて形成されている。
【００３１】
また、コモンフレーム６２Ｃには、Ｕ相、Ｖ相、Ｗ相のステータコイル７０の中性点となる端末部７４（図２，図９参照）とそれぞれ接続するための結線端子６６が形成されている。この結線端子６６は、図８に示すように、コモンフレーム６２Ｃに形成された円弧状のフレーム本体部６７に対して径方向外側へ向けて形成されている。また、本例のコモンフレーム６２Ｃには、結線端子６６とフレーム本体部６７との間にＵ字状に折り返された壁状の溶融樹脂流入抑制部６８が形成されている。
【００３２】
そして、本例では、溶融樹脂流入抑制部６８のＵ字状の折り返し部分が結線端子６６よりもモータ回転軸方向上側（ロータ２０側、以下同じ）へ突出するように構成されている。この溶融樹脂流入抑制部６８は、後に詳述するように、結線端子ユニット６０とステータコイル７０とバックヨーク８０とを一体にモールド成形してステータユニット３０を形成する際に、金型（不図示）のゲートＧから流入した溶融樹脂の高圧力が結線端子６６とステータコイル７０の端末部７４との結線部９０に加わらないようにするための防護壁の役割をするものである。
【００３３】
そして、図５，図９に示すように、結線端子ユニット６０に形成された内側環状成形部６０ｂの径方向外側で且つ各結線端子６４，６６が位置する樹脂成形部分には、板厚方向に貫通する複数の切欠部６０ｃが形成されている。本例では、このように結線端子ユニット６０の樹脂成形部分に切欠部６０ｃを設けることにより、内側環状成形部６０ｂから径方向外側へ向けて結線端子６４，６６がそれぞれ突出し、この結線端子６４，６６とステータコイル７０の端末部７２，７４とを切欠部６０ｃを介してスポット溶接等によりそれぞれ接続することができるようになっている。
【００３４】
また、結線端子６４が位置する部分については、図１に示すように、本例の内側環状成形部６０ｂには、結線端子６４よりもモータ回転軸方向上側へ突出する壁状の溶融樹脂流入抑制部６９が形成されている。この溶融樹脂流入抑制部６９も、上記溶融樹脂流入抑制部６８と同様に、結線端子ユニット６０とステータコイル７０とバックヨーク８０とを一体にモールド成形してステータユニット３０を形成する際に、金型（不図示）のゲートＧから流入した溶融樹脂の高圧力が結線端子６４とステータコイル７０の端末部７２との結線部９０に加わらないようにするための防護壁の役割をするものである。
【００３５】
そして、図５，図９に示すように、結線端子ユニット６０の内側環状成形部６０ｂよりも径方向外側に形成された外側環状成形部６０ｄには、ステータコイル７０を固定するための複数のステータコイル固定部６０ｅが形成されている。さらに、ステータコイル固定部６０ｅの内側には、板厚方向に貫通する突極挿通部６０ｆが形成されており、本例では、この突極挿通部６０ｆにバックヨーク８０の突極８２を挿通することができるようになっている。また、ステータコイル固定部６０ｅとステータコイル固定部６０ｅとの間には、ステータコイル７０のうち隣接するステータコイル同士が接触しないように、絶縁壁６０ｇが設けられている。
【００３６】
回路ユニット４０は、図３に示すように、ヒートシンク４２と回路基板４４とを有して構成されている。ヒートシンク４２は、ステータユニット３０のロータ２０と反対側の位置に配置されており、回路基板４４は、ヒートシンク４２のステータユニット３０と反対側に設けられている。回路基板４４には、ドライバＩＣ４４ａやその他の電子部品が配設されており、このドライバＩＣ４４ａは、配線部材４４ｂによって結線端子ユニット６０に配線接続されている。そして、この回路ユニット４０のステータユニット３０と反対側は、バックフレーム５０によって覆われている。
【００３７】
次に、上記構成からなるブラシレスモータの製造方法について説明する。
【００３８】
先ず、ブラシレスモータ１０の構成要素のうち本発明の特徴部分であるステータユニット３０の製造方法について説明する。ステータユニット３０を製造するには、はじめに不図示の金型を用いて、図５に示す結線端子ユニット６０（サブＡＳＳＹ）をモールド成形する。
【００３９】
結線端子ユニット６０をモールド成形するには、結線端子フレーム６２を径方向内側からコモンフレーム６２Ｃ、Ｗ相フレーム６２Ｗ、Ｖ相フレーム６２Ｖ、Ｕ相フレーム６２Ｕの順に同心円状に重ね合わせて、この結線端子フレーム６２を不図示の金型内にセットする。なお、この金型は結線端子ユニット６０を所定の形状に成形することができるように構成されたものである。
【００４０】
そして、上述のようにして金型内に結線端子ユニット６０をセットした後に、金型内に溶融した樹脂材料を充填する。続いて、金型内に充填した樹脂材料を冷却固化させた後に成形品を金型から取り外すと、図５に示すような所定の形状からなる結線端子ユニット６０が形成される。つまり、上述のようにモールド成形することにより、結線端子フレーム６２（バスバー）が樹脂部材と一体化された概略円盤状の結線端子ユニット６０が形成される。
【００４１】
このとき、図１，図２，図５に示すように、切欠部６０ｃ内に内側環状成形部６０ｂより結線端子６４，６６が突出した状態となると共に、内側環状成形部６０ｂに結線端子６４よりもモータ回転軸方向上側へ突出する壁状の溶融樹脂流入抑制部６９が形成される。さらに、コモンフレーム６２Ｃに形成された溶融樹脂流入抑制部６８のＵ字状の折り返し部分が内側環状成形部６０ｂの上部に配置されると共に結線端子６６よりもモータ回転軸方向上側へ突出するようになる。
【００４２】
そして、図９に示すように、バックヨーク８０に形成された突極８２を結線端子ユニット６０の突極挿通部６０ｆに挿通させて、結線端子ユニット６０の背面側からバックヨーク８０を結線端子ユニット６０に連結する。続いて、所定形状に巻回したステータコイル７０を結線端子ユニット６０のステータコイル固定部６０ｅにそれぞれ固定する。なお、所定形状に巻回したステータコイル７０を結線端子ユニット６０のステータコイル固定部６０ｅにそれぞれ固定してから結線端子ユニット６０にバックヨーク８０を連結しても良い。なお、本例では、ステータコイル７０が結線端子ユニット６０のステータコイル固定部６０を介してバックヨーク８０に載置されるようになっている。
【００４３】
次に、図９に示すように、ステータコイル７０の端末部７２，７４を結線端子６４，６６にそれぞれ接続する。このとき、ステータコイル７０の端末部７２，７４を結線端子６４，６６に例えばスポット溶接によりそれぞれ接続する。なお、結線端子６４，６６に爪を設け、この爪をかしめることにより結線端子６４，６６とステータコイル７０の端末部７２，７４とを接続しても良い。また、結線端子６４，６６をかしめた後にステータコイル７０の端末部７２，７４を結線端子６４，６６にそれぞれスポット溶接しても良い。
【００４４】
続いて、上述のようにして結線端子ユニット６０にステータコイル７０を固定して結線すると共にバックヨーク８０を結線端子ユニット６０に連結した状態で、これらを不図示の金型にセットする。なお、この金型は、ステータユニット３０を所定の形状に成形することができるように構成されたものであり、この金型内のキャビティに通ずるゲートＧは、図９に示すように、結線端子ユニット６０の内側環状成形部６０ｂよりも径方向内側の部分（例えば、結線端子ユニット６０と略同一平面状で孔部６０ａの中心位置）に配置される。
【００４５】
そして、上記金型のキャビティ内に上記ゲートＧを介して溶融した樹脂材料を充填する。このとき、上述のように、金型内にセットされている結線端子ユニット６０には、金型のゲートＧと結線端子６４，６６との間に壁状の溶融樹脂流入抑制部６８，６９がそれぞれ形成されている。
【００４６】
従って、金型のゲートＧからキャビティ内に高圧の溶融樹脂が流入しても、図１０中の破線Ａで溶融樹脂の流れを示すように、この高圧の溶融樹脂が壁状の溶融樹脂流入抑制部６８に当たった後に溶融樹脂流入抑制部６８の脇を流れて結線端子６４の側面側から回り込むようにして結線部９０側へ流れていくので、従来のように高圧の溶融樹脂が結線部に直接的に流れ込む手法に比して、結線部９０に流れる溶融樹脂の圧力を低く抑えることができる。
【００４７】
同様に、溶融樹脂流入抑制部６９についても、金型のゲートＧからキャビティ内に高圧の溶融樹脂が流入しても、この高圧の溶融樹脂が壁状の溶融樹脂流入抑制部６９に当たった後に溶融樹脂流入抑制部６９の脇を流れて結線端子６６の側面側から回り込むようにして結線部９０側へ流れていくので、従来のように高圧の溶融樹脂が結線部に直接的に流れ込む手法に比して、結線部９０に流れる溶融樹脂の圧力を低く抑えることができる。
【００４８】
つまり、本例では、結線部９０に溶融樹脂の高い圧力が直接的に加わらないように、溶融樹脂流入抑制部６８，６９が防護壁の役割をする。従って、結線部９０が切断されたり、結線端子６４，６６が曲がったりすることなく、結線端子ユニット６０とステータコイル７０とバックヨーク８０とを一体にモールド成形してステータユニット３０を確実に形成することができる。
【００４９】
そして、金型内に充填した樹脂材料を冷却固化させた後に成形品を金型から取り外すと、図２に示すような所定の形状からなるステータユニット３０が形成される。つまり、上述のように、結線端子ユニット６０、ステータコイル７０およびバックヨーク８０がモールド成形されて所定の形状からなるステータユニット３０を形成することができる。
【００５０】
次に、上述のようにして形成したステータユニット３０に、図３に示すように、ロータ２０、回路ユニット４０、バックフレーム５０を順次に組み付けて、本例のブラシレスモータ１０が完成する。
【００５１】
このように、本例では、結線端子ユニット６０と、複数のステータコイル７０と、バックヨーク８０をモールド成形することによってステータユニット３０を単一ユニット化することができるので、ブラシレスモータの組み立て作業時に、結線端子ユニット６０と複数のステータコイル７０とバックヨーク８０が散けてしまうことを防止することができる。これにより、ステータユニット３０をモータ本体に容易に組み付けることが可能となる。
【００５２】
また、本例では、結線端子ユニット６０と複数のステータコイル７０とバックヨーク８０を樹脂部材で一体的にモールド成形してステータユニット３０を形成するときに、ステータユニット３０に外部取付ステー３０ｃが同時に形成されるので、外部取付ステー３０ｃを別途成形することを不要にすることができる。これにより、従来に比して製造工数を削減できると共に、部品点数が増加することを防止することができるので製造コストを低減することができる。
【００５３】
また、本例では、外部取付ステー３０ｃをステータユニット３０における複数のステータコイル７０の境目近傍位置に形成するようにしているので、外部取付ステー３０ｃの形成位置で樹脂が合流すること無く外部取付ステー３０ｃを成形することができる。従って、外部取付ステー３０ｃの概観を良好にすることができると共に、外部取付ステー３０ｃの強度も確保できる。
【００５４】
また、本例では、結線端子フレーム６２をモールド成形することにより結線端子ユニット６０を形成しているので、結線端子フレーム６２の形状および位置を樹脂部材で固定することができる。これにより、ブラシレスモータ１０の組み立て作業時に、結線端子ユニット６０の取り扱いを容易にすることができる。
【００５５】
また、本例によれば、ステータユニット３０を製造する際に、ステータコイル７０と結線端子ユニット６０の結線部９０に近接して壁状の溶融樹脂流入抑制部６８，６９を設けることにより、従来のように高圧の溶融樹脂が結線部９０に直接的に流れ込む手法に比して、結線部９０に流れる溶融樹脂の圧力を低く抑えることができる。従って、ステータコイル７０と結線端子ユニット６０の結線部９０が切断されたり、結線端子６４，６６が曲がったりすることを防止でき、結線部９０を確実にモールド成形することができる。
【００５６】
また、溶融樹脂流入抑制部６８は、コモンフレーム６２Ｃに予め形成されるものであり、溶融樹脂流入抑制部６９は、結線端子ユニット６０をモールド成形する段階で形成されるものである。従って、防護壁の役割を果たす別部材を結線端子ユニット６０のモールド成形時に用いる必要が無いので、製造工数の増加を防止できると共に別部材の追加による製造コストの増加も防ぐことができる。
【００５７】
また、ステータユニット３０をモールド成形する前段階である結線端子ユニット６０のモールド成形工程において結線端子ユニット６０に溶融樹脂流入抑制部６８，６９を一体に設けるという非常に簡易な手法によって、ステータコイル７０と結線端子ユニット６０の結線部９０に加わる溶融樹脂の圧力を確実に低減することができる。これにより、従来のようにステータコイル７０と結線端子ユニット６０の結線部９０に直接的に高圧の溶融樹脂が当たる手法に比して、ブラシレスモータ１０の歩留まりを大幅に向上させることができる。
【００５８】
なお、本発明の実施の形態は、以下のように改変することができる。
【００５９】
（１）上記実施形態では、結線端子ユニット６０と複数のステータコイル７０とバックヨーク８０が樹脂部材で一体的にモールド成形されるように説明したが、本発明はこれに限定されるものではなく、その他にも、複数のステータコイル７０とステータコア８０が樹脂部材で一体的にモールド成形されるように構成されていても良い。
【００６０】
（２）また、上記実施形態では、結線端子ユニット６０のモールド成形時に溶融樹脂が結線端子６４，６６へ流入することを抑制するための手段として、異なる二種類の溶融樹脂流入抑制部６８と溶融樹脂流入抑制部６９が備えられていたが、その他にも、結線端子６６，６８へ溶融樹脂が流入することを抑制するための手段として、異なる二種類の溶融樹脂結線端子６８，６９のうちいずれかの構成に統一するようにしても良い。
【００６１】
（３）また、上記実施形態では、溶融樹脂流入抑制部６８，６９をいずれも結線端子６４，６６に対してモータ回転軸方向上側に突出するように説明したが、その他にも、例えば、結線端子６４，６６に対してモータ径方向外側に突出するように構成しても良い。また、結線端子６４，６６に対してモータ回転軸方向上側およびモータ径方向外側の両側に突出するようにしても良い。さらに、結線端子６４，６６の長手方向と交差する方向に延出するようにフランジ状に形成しても良い。
【００６２】
次に、上記実施形態から特許請求の範囲に記載の発明以外に導き出される技術的思想を示す。すなわち、第一の技術的思想は、前記結線端子ユニットの結線端子部と前記ステータコイルの端末部との結線部が金型を用いたモールド成形により樹脂部材と一体化され、前記結線端子ユニットには、前記結線部に近接してモールド成形時の溶融樹脂の流れを抑制する壁状の溶融樹脂流入抑制部が形成されていることを特徴とする請求項１乃至請求項４に記載のブラシレスモータである。
【００６３】
また、第二の技術的思想は、前記第一の工程で、前記結線端子ユニットの結線端子部と前記ステータコイルの端末部との結線部に近接してモールド成形時の溶融樹脂の流れを抑制する壁状の溶融樹脂流入抑制部を形成し、前記第三の工程で、少なくとも前記結線部と前記溶融樹脂流入抑制部とをモールド成形用の金型にセットして、前記金型のゲートから前記金型内に溶融樹脂を注入して充填させ、前記金型内に充填した溶融樹脂を冷却固化させることによって少なくとも前記結線部と樹脂部材とを一体化すること含むことを特徴とする請求項６又は請求項７に記載のブラシレスモータの製造方法である。
【００６４】
このように、結線端子ユニットの結線端子部とステータコイルの端末部との結線部に近接して壁状の溶融樹脂流入抑制部が形成されていると、モールド成形時に金型のゲートからキャビティ内に高圧の溶融樹脂が流入しても、この高圧の溶融樹脂の流れを壁状の溶融樹脂流入抑制部により抑制することができる。従って、従来のように高圧の溶融樹脂が結線部に直接的に流れ込む手法に比して、結線部に流れる溶融樹脂の圧力を低く抑えることができる。これにより、ステータコイルと結線端子ユニットの結線部が切断されたり、結線端子が曲がったりすることを防止でき、結線部を確実にモールド成形することができる。
【００６５】
また、壁状の溶融樹脂流入抑制部については、結線端子ユニットを例えばモールド成形する段階で形成したり、結線端子ユニットの結線端子部に予め形成したりすることができるものであるので、結線端子ユニットのモールド成形時に防護壁の役割を果たす別部材を不要にできる。これにより、製造工数の増加を防止できると共に別部材の追加による製造コストの増加も防ぐことができる。
【００６６】
さらに、ステータをモールド成形する前段階である結線端子ユニットのモールド成形工程において結線端子ユニットに溶融樹脂流入抑制部を一体に設けるという非常に簡易な手法によって、ステータコイルと結線端子ユニットの結線部に加わる溶融樹脂の圧力を確実に低減することができる。これにより、従来のようにステータコイルと結線端子ユニットの結線部に直接的に高圧の溶融樹脂が当たる手法に比して、ブラシレスモータの歩留まりを大幅に向上させることができる。
【００６７】
また、第三の技術的思想は、前記溶融樹脂流入抑制部が、前記金型のゲートが位置する部位と前記結線部との間に形成されていることを特徴とする請求項１乃至請求項４に記載のブラシレスモータである。
【００６８】
さらに、第四の技術的思想は、前記第一の工程で、前記溶融樹脂流入抑制部を前記金型のゲートが位置する部位と前記結線部との間に形成することを特徴とする請求項６又は請求項７に記載のブラシレスモータの製造方法である。
【００６９】
このように、金型のゲートが位置する部位と結線部との間に溶融樹脂流入抑制部を形成すると、ゲートから流入する溶融樹脂の流れを壁状の溶融樹脂流入抑制部によって確実に抑制することができるので好適である。
【００７０】
また、第五の技術的思想は、前記溶融樹脂流入抑制部が、前記ロータの回転シャフトと前記結線部との間に形成されていることを特徴とする請求項１乃至請求項４に記載のブラシレスモータである。
【００７１】
さらに、第六の技術的思想は、前記第一の工程で、前記溶融樹脂流入抑制部を前記ロータの回転シャフトと前記結線部との間に形成することを特徴とする請求項６又は請求項７に記載のブラシレスモータの製造方法である。
【００７２】
このように、ロータの回転シャフトと結線部との間に溶融樹脂流入抑制部を形成するようにすると、ロータの回転シャフトと結線部の間の比較的にスペースのゆとりのある部分に溶融樹脂流入抑制部を形成することができるので、壁状の溶融樹脂流入抑制部を設けたことによってブラシレスモータの寸法が増加することを防止することができ好適である。
【００７３】
また、第七の技術的思想は、前記結線端子ユニットが、前記結線端子部の少なくとも一部を覆う樹脂成形部を有して構成され、前記溶融樹脂流入抑制部が、前記樹脂成形部に形成されていることを特徴とする請求項１乃至請求項４に記載のブラシレスモータである。
【００７４】
さらに、第八の技術的思想は、前記第一の工程で、前記溶融樹脂流入抑制部を前記結線端子ユニットのうち前記結線端子部の少なくとも一部を覆う樹脂成形部に形成することを特徴とする請求項６又は請求項７に記載のブラシレスモータの製造方法である。
【００７５】
また、第九の技術的思想は、前記溶融樹脂流入抑制部は、前記結線端子部の一部に形成されていることを特徴とする請求項１乃至請求項４に記載のブラシレスモータである。
【００７６】
また、第十の技術的思想は、前記第一の工程で、前記溶融樹脂流入抑制部を前記結線端子部の一部に形成することを特徴とする請求項６又は請求項７に記載のブラシレスモータの製造方法である。
【００７７】
このように、上記壁状の溶融樹脂流入抑制部は、結線端子ユニットのうち結線端子部の少なくとも一部を覆う樹脂成形部に形成しても良く、また、結線端子部の一部に形成しても良い。
【図面の簡単な説明】
【００７８】
【図１】本発明の一実施形態に係るステータコイルと結線端子ユニットとの結線部の構成を示す断面図である。
【図２】本発明の一実施形態に係るステータコイルと結線端子ユニットとの結線部の構成を示す断面図である。
【図３】本発明の一実施形態に係るブラシレスモータの構成を示す図である。
【図４】本発明の一実施形態に係るステータの構成を示す図である。
【図５】本発明の一実施形態に係る結線端子ユニットの構成を示す図である。
【図６】本発明の一実施形態に係る結線端子フレームの構成を示す図である。
【図７】本発明の一実施形態に係る結線端子の断面構成を示す説明図である。
【図８】本発明の一実施形態に係る結線端子の断面構成を示す説明図である。
【図９】本発明の一実施形態に係る結線端子ユニットにステータコイルを固定した状態を示す図である。
【図１０】本発明の一実施形態に係るステータコイルと結線端子ユニットとの結線部に溶融樹脂が流れ込む様子を示す説明図である。
【符号の説明】
【００７９】
１０…ブラシレスモータ、２０…ロータ、２２…ロータヨーク、２２ａ…平面部、２２ｂ…シャフト支持部、２４…ロータマグネット、２６…回転シャフト、３０…ステータユニット、３０ａ…孔部、３０ｂ…軸受支持部、３０ｃ…外部取付ステー、３２…軸受部材、４０…回路ユニット、４２…ヒートシンク、４４…回路基板、４４ａ…ドライバＩＣ、４４ｂ…配線部材、５０…バックフレーム、６０…結線端子ユニット、６０ａ…孔部、６０ｂ…内側環状成形部（樹脂成形部）、６０ｃ…切欠部、６０ｄ…外側環状成形部、６０ｅ…ステータコイル固定部、６０ｆ…突極挿通部、６０ｇ…絶縁壁、６２…結線端子フレーム（結線端子部）、６２Ｃ…コモンフレーム、６２Ｕ…Ｕ相フレーム、６２Ｖ…Ｖ相フレーム、６２Ｗ…Ｗ相フレーム、６４，６６…結線端子、６５，６７…フレーム本体部、６８，６９…溶融樹脂流入抑制部、７０…ステータコイル、７２，７４…端末部、８０…バックヨーク（ステータコア）、８２…突極、９０…結線部、Ｇ…ゲート
【図１】
2006166598.tif 000003
【図２】
2006166598.tif 000004
【図３】
2006166598.tif 000005
【図４】
2006166598.tif 000006
【図５】
2006166598.tif 000007
【図６】
2006166598.tif 000008
【図７】
2006166598.tif 000009
【図８】
2006166598.tif 000010
【図９】
2006166598.tif 000011
【図１０】
2006166598.tif 000012